(57)【要約】【課題】  広域通信システムと狭域通信システムを効果的に連携させ、信号復調用ソフトウェアをダウンロードする際の信頼性を確保しつつ、伝送容量の異なる複数の通信システム間でソフトウェアをダウンロードする際の負荷を効果的に分担する。【解決手段】  受信機１は、広域通信システムの受信信号を復調する広域システム復調部１０、広域システムデータ受信部１１、狭域通信システムの受信信号を復調する狭域システム復調部１２、狭域システムデータ受信部１３、受信されたデータに含まれる狭域通信システムの信号復調用ソフトウェアや各種付加情報を記憶する記憶装置１４、現在位置情報用の現在位置情報記憶部１５、どの信号復調用ソフトウェアを狭域システム復調部１２ヘダウンロードするかの判定を行なう判定部１６、該ダウンロードを制御する復調ソフトウェアダウンロード制御部１７、狭域通信システム受信優先順位記憶部１８を含む。【選択図】          図１
2005229546.tif 000002
【特許請求の範囲】
【請求項１】
所定地域の全体をカバーする広域通信システムと、該所定地域の一部のみをカバーする狭域通信システムとを使用し、
前記広域通信システムにより、前記狭域通信システムの信号復調用ソフトウェアを、所定値以上の頻度で反復送信し、
前記信号復調用ソフトウェアは、当該信号復調用ソフトウェアにより信号復調される通信システムの種別を示す通信システム識別情報と、前記所定地域内における、当該信号復調される通信システムが受信可能なエリアを示す受信可能エリア位置情報とを付加して送信するものとし、
受信機側では、前記広域通信システムで送信された前記狭域通信システムの前記信号復調用ソフトウェアと、当該信号復調用ソフトウェアに付随する前記通信システム識別情報および前記受信可能エリア位置情報を含む前記付加情報とを所定の記憶装置に記憶するとともに、所定の位置情報検出装置から現在の受信位置を示す現在位置情報を取得し、
さらに受信機側では、前記記憶装置に記憶された前記信号復調用ソフトウェアのうち前記通信システム識別情報、前記受信可能エリア位置情報、および前記現在位置情報に基づいて、前記狭域通信システムによる送信信号を復調する信号復調部にダウンロードすべき信号復調用ソフトウェアを選択し、該選択された信号復調用ソフトウェアを前記信号復調部にダウンロードすることを特徴とする復調ソフトウェアダウンロード方法。
【請求項２】
前記受信機側では、前記狭域通信システムの受信優先順位が設定されており、
前記記憶装置に記憶された前記信号復調用ソフトウェアに付随する前記通信システム識別情報に基づいて、前記現在位置情報が、前記受信可能エリア位置情報で示されるエリアの範囲内であるか否かの判定を、前記受信優先順位の高い順に、前記信号復調用ソフトウェアごとに行い、
前記現在位置情報が前記受信可能エリア内であると判定された最初の前記信号復調用ソフトウェアを前記信号復調部にダウンロードすることを特徴とする請求項１記載の復調ソフトウェアダウンロード方法。
【請求項３】
前記受信機側では、前記狭域通信システムの受信優先順位が設定されており、
前記記憶装置に記憶された前記信号復調用ソフトウェアに付随する前記通信システム識別情報に基づいて、前記現在位置情報が、前記受信可能エリア位置情報で示されるエリアの範囲内であるか否かの判定を、前記受信優先順位の高い順に、前記信号復調用ソフトウェアごとに行い、
前記現在位置情報が前記受信可能エリア内であると判定された前記信号復調用ソフトウェアのうち、前記受信優先順位の高い順に、予め定められた所定数の信号復調用ソフトウェアを、前記信号復調部にダウンロードすることを特徴とする請求項１記載の復調ソフトウェアダウンロード方法。
【請求項４】
前記受信機側では、受信者が受信を希望する情報種別が設定されるとともに、該情報種別で識別される各情報が、いかなる時刻にいかなる前記狭域通信システムで送信されるかが規定された番組表情報が設定され、
前記受信機側では、前記現在位置情報が、前記記憶装置に記憶された前記信号復調用ソフトウェアの前記受信可能エリア位置情報で示されるエリアの範囲内であるか否かの判定を、前記受信優先順位の高い順に、前記信号復調用ソフトウェアごとに行い、
前記現在位置情報が前記受信可能エリア位置情報で示されるエリアの範囲内であると判定された前記狭域通信システムのうち、前記受信を希望する情報種別が送信されるまでの待ち時間が最も少ない前記狭域通信システムの前記信号復調用ソフトウェアを、前記信号復調部ヘダウンロードすることを特徴とする請求項１記載の復調ソフトウェアダウンロード方法。
【請求項５】
前記受信機側では、前記現在位置情報が、前記記憶装置に記憶された前記信号復調用ソフトウェアの前記受信可能エリア位置情報で示されるエリアの範囲内であるか否かの判定を、前記信号復調用ソフトウェアごとに行い、
前記現在位置情報が前記受信可能エリア内であると判定された前記信号復調用ソフトウェアが存在しない場合には、該現在位置情報を、受信がなされている移動体の現在の進行方向から予測される、所定時間後の該移動体の位置を示す予測位置情報に置き換えた後、
前記判定および前記ダウンロードを行なうことを特徴とする請求項２〜４のうちいずれか１項記載の復調ソフトウェアダウンロード方法。
【請求項６】
前記広域通信システムが地上デジタル放送システム、衛星デジタル放送システムおよびIMT-2000のうちから選択されるシステムであることを特徴とする請求項１〜５のうちいずれか１項記載の復調ソフトウェアダウンロード方法。
【請求項７】
請求項１〜６のうちいずれか１項記載の復調ソフトウェアダウンロード方法に用いられることを特徴とする受信機。
【発明の詳細な説明】
【技術分野】
【０００１】
本発明は、ソフトウェア無線技術を利用した放送・通信システムにおける信号復調用ソフトウェアのダウンロード方法およびこの方法において使用される受信機に関し、詳しくは、広域通信システムと狭域通信システムを併用する場合の復調ソフトウェアのダウンロード方法および受信機に関するものである。
【背景技術】
【０００２】
近年、例えば、移動体等に対する通信の必要性から、多種多様な無線通信システムのサービスが提供されるようになってきている。このような環境下において、所望とするサービス機能や受信状態等に応じ、無線通信システムを適宜切り替えて使用したいという要求が強い。
【０００３】
そこで、各種の無線通信システムサービスに対応した無線端末を逐次構築することが可能なソフトウェア無線技術が注目されている。このソフトウェア無線技術を用いたソフトウェア無線端末は、無線リンク接続を行うための信号復調用の処理部等をソフトウェア（以下、信号復調用ソフトウェアとも称する）のダウンロードによって構築するものであり、単一のハードウェアを用いて、異なる無線通信システムに適応し得る無線端末に変更することができる。これは、夫々の無線通信システムに対応したハードウェア手段を備えておく必要がないことから、スペース、コスト、さらにはシステムバージョンアップ等の点で極めて効率的な技術である。
【０００４】
上述した信号復調用ソフトウェアのダウンロード方法としては、物理的な記憶媒体に記憶されていたソフトウェアを無線端末に入力する方法、インターネット等の有線回線経由で伝送したソフトウェアを無線端末に入力する方法、さらには通信・放送システムの伝送路自体を用いて伝送したソフトウェアを無線端末に入力する方法等が考えられるが、このうち、通信・放送システムの伝送路自体を用いて信号復調用ソフトウェアをダウンロードする方法は、ダウンロード用の伝送路や媒体を別途必要としないという点で優れた手法である。
【０００５】
このような、通信・放送システムの伝送路自体を使用して信号復調用ソフトウェアをダウンロードする手法は、例えば下記非特許文献１に示されている。
【０００６】
【非特許文献１】ソフトウェア無線における無線ダウンロード方法の一検討（電子情報通信学会ソフトウェア無線研究会、SR00-07、pp.47-52、2000年４月）
【発明の開示】
【発明が解決しようとする課題】
【０００７】
しかしながら、上記非特許文献１に記載された技術は、単一の通信システムにおけるダウンロードの手順についてのものであり、利用可能な通信・放送システムの伝送路が複数存在する場合に、信号復調用ソフトウェアのダウンロードを行なうための具体的な伝送路の選択および使用手順についての技術的検討はなされていない。
【０００８】
特に、放送のように広いサービスエリアをカバー可能な広域通信（放送）システムと、無線LANに代表される狭域通信システムの双方が、信号復調用ソフトウェアのダウンロードに利用可能である場合に、両者をどのように使い分け、かつ連携させるかという点に関する具体的な技術は、上記非特許文献１に限らず、その他の提案においても示唆されていない未開拓の技術である。
【０００９】
本発明は、このような事情に鑑みなされたものであり、広域通信システムと狭域通信システムを効果的に連携させ、信号復調用ソフトウェアをダウンロードする際の信頼性を確保しつつ、伝送容量の異なる複数の通信システム間で、ソフトウェアをダウンロードする際の負荷を効果的に分担することが可能な復調ソフトウェアのダウンロード方法およびこれに用いられる受信機を提供することを目的とするものである。
【課題を解決するための手段】
【００１０】
本発明の復調ソフトウェアダウンロード方法は、所定地域の全体をカバーする広域通信システムと、該所定地域の一部のみをカバーする狭域通信システムとを使用し、
前記広域通信システムにより、前記狭域通信システムの信号復調用ソフトウェアを、所定値以上の頻度で反復送信し、
前記信号復調用ソフトウェアは、当該信号復調用ソフトウェアにより信号復調される通信システムの種別を示す通信システム識別情報と、前記所定地域内における、当該信号復調される通信システムが受信可能なエリアを示す受信可能エリア位置情報とを付加して送信するものとし、
受信機側では、前記広域通信システムで送信された前記狭域通信システムの前記信号復調用ソフトウェアと、当該信号復調用ソフトウェアに付随する前記通信システム識別情報および前記受信可能エリア位置情報を含む前記付加情報とを所定の記憶装置に記憶するとともに、所定の位置情報検出装置から現在の受信位置を示す現在位置情報を取得し、
さらに受信機側では、前記記憶装置に記憶された前記信号復調用ソフトウェアのうち前記通信システム識別情報、前記受信可能エリア位置情報、および前記現在位置情報に基づいて、前記狭域通信システムによる送信信号を復調する信号復調部にダウンロードすべき信号復調用ソフトウェアを選択し、該選択された信号復調用ソフトウェアを前記信号復調部にダウンロードすることを特徴とするものである。
【００１１】
なお、上記「広域通信システム」には、例えば地上デジタル放送や衛星デジタル放送等の放送システムが含まれる。
【００１２】
また、前記復調ソフトウェアダウンロード方法において、
前記受信機側では、前記狭域通信システムの受信優先順位が設定されており、
前記記憶装置に記憶された前記信号復調用ソフトウェアに付随する前記通信システム識別情報に基づいて、前記現在位置情報が、前記受信可能エリア位置情報で示されるエリアの範囲内であるか否かの判定を、前記受信優先順位の高い順に、前記信号復調用ソフトウェアごとに行い、
前記現在位置情報が前記受信可能エリア内であると判定された最初の前記信号復調用ソフトウェアを前記信号復調部にダウンロードすることが好ましい。
【００１３】
また、前記復調ソフトウェアダウンロード方法おいて、
前記受信機側では、前記狭域通信システムの受信優先順位が設定されており、
前記記憶装置に記憶された前記信号復調用ソフトウェアに付随する前記通信システム識別情報に基づいて、前記現在位置情報が、前記受信可能エリア位置情報で示されるエリアの範囲内であるか否かの判定を、前記受信優先順位の高い順に、前記信号復調用ソフトウェアごとに行い、
前記現在位置情報が前記受信可能エリア内であると判定された前記信号復調用ソフトウェアのうち、前記受信優先順位の高い順に、予め定められた所定数の信号復調用ソフトウェアを、前記信号復調部にダウンロードすることが好ましい。
【００１４】
また、前記復調ソフトウェアダウンロード方法おいて、
前記受信機側では、受信者が受信を希望する情報種別が設定されるとともに、該情報種別で識別される各情報が、いかなる時刻にいかなる前記狭域通信システムで送信されるかが規定された番組表情報が設定され、
前記受信機側では、前記現在位置情報が、前記記憶装置に記憶された前記信号復調用ソフトウェアの前記受信可能エリア位置情報で示されるエリアの範囲内であるか否かの判定を、前記受信優先順位の高い順に、前記信号復調用ソフトウェアごとに行い、
前記現在位置情報が前記受信可能エリア位置情報で示されるエリアの範囲内であると判定された前記狭域通信システムのうち、前記受信を希望する情報種別が送信されるまでの待ち時間が最も少ない前記狭域通信システムの前記信号復調用ソフトウェアを、前記信号復調部ヘダウンロードすることが好ましい。
【００１５】
また、前記復調ソフトウェアダウンロード方法おいて、
前記受信機側では、前記現在位置情報が、前記記憶装置に記憶された前記信号復調用ソフトウェアの前記受信可能エリア位置情報で示されるエリアの範囲内であるか否かの判定を、前記信号復調用ソフトウェアごとに行い、
前記現在位置情報が前記受信可能エリア内であると判定された前記信号復調用ソフトウェアが存在しない場合には、該現在位置情報を、受信がなされている移動体の現在の進行方向から予測される、所定時間後の該移動体の位置を示す予測位置情報に置き換えた後、
前記判定および前記ダウンロードを行なうことが好ましい。
【００１６】
さらに、前記広域通信システムが地上デジタル放送システム、衛星デジタル放送システムおよびIMT-2000のうちから選択されるシステムであることが好ましい。
【００１７】
また、本発明の受信機は、上述したいずれかの復調ソフトウェアダウンロード方法に用いられることを特徴とするものである。
【発明の効果】
【００１８】
本発明の復調ソフトウェアダウンロード方法および受信機によれば、カバーするサービスエリアが広い広域通信システム（通信システムあるいは放送システム）を信号復調用ソフトウェアのダウンロード用の伝送路として利用することで、所望する時点において受信機が必要とする信号復調用ソフトウェアを、その時点までに確実に受信機に伝送することができる。これにより、所望する時点において必要な信号復調用ソフトウェアを記憶装置から復調部ヘダウンロードする際に、常にその信号復調用ソフトウェアが記憶装置に記憶されているという状態とすることができる。
【００１９】
また、伝送帯域が広く、伝送容量が大きい広域通信システム（通信システムあるいは放送システム）を信号復調用ソフトウェアの伝送路として利用することにより、信号復調用ソフトウェア配信の対象となる各狭域通信システムの信号復調用ソフトウェアを一括して伝送することができ、システム全体の簡略化、および受信機動作の簡略化が可能となる。
【００２０】
また、信号復調用ソフトウェアをダウンロードするか否かの判定を、現在位置情報および受信可能エリア位置情報の各情報に基づいて行なうことにより、各狭域通信システムの信号復調用ソフトウェアを、それぞれ最も必要とされるタイミングで確実に信号復調部ヘダウンロードすることができる。
【００２１】
さらに、信号復調用ソフトウェアをダウンロードするか否かの判定に受信優先順位情報、受信希望情報種別情報あるいは予測位置情報等を利用することにより、受信者の様々な利用形態に適確に対応することができる。
【発明を実施するための最良の形態】
【００２２】
以下、本発明の実施形態に係る復調ソフトウェアダウンロード方法およびその受信機について図面を参照しつつ説明する。
【００２３】
＜第１の実施形態＞
図１は、本発明の第１の実施形態に係る受信機１の構成を示すブロック図である。図示するように、第１の実施形態に係る受信機１（後述する第２、第３の実施形態に係る受信機２、３についても同じ）は、広域通信システムの受信信号と狭域通信システムの受信信号の両者を復調し、各々の復調信号から、対応するデータを復元するものであり、所望の狭域通信システムの受信信号（対象となるエリア内において受信し得る受信信号）を復調する信号復調用ソフトウェアを広域通信システムを利用してダウンロードするものである。
【００２４】
すなわち、受信機１は、アンテナ（図示せず）を介して入力された広域通信システムの受信信号を復調する広域システム復調部１０と、広域通信システムの復調信号から受信データを復元する広域システムデータ受信部１１と、アンテナ（図示せず）を介して入力された狭域通信システムの受信信号を復調する狭域システム復調部１２と、狭域通信システムの復調信号から受信データを復元する狭域システムデータ受信部１３と、広域システムデータ受信部１１で受信されたデータに含まれる狭域通信システムの信号復調用ソフトウェア、ならびに通信システム識別情報、受信可能エリア位置情報、およびその他の付加情報を記憶しておくためのハードディスク等の記憶装置１４と、カーナビ等の位置情報検出装置から入力された現在位置情報を記憶しておくための現在位置情報記憶部１５と、現在位置情報、通信システム識別情報、受信可能エリア位置情報および狭域通信システムの受信優先順位情報に基づき、どの信号復調用ソフトウェアを狭域システム復調部１２ヘダウンロードするかの判定を行なう判定部１６と、判定部１６から出力された判定結果に基づいて、信号復調用ソフトウェアの狭域システム復調部１２へのダウンロードを制御する復調ソフトウェアダウンロード制御部１７（以下、単に制御部１７とも称する）と、狭域通信システムの受信優先順位情報を記憶しておくための狭域通信システム受信優先順位記憶部１８とを含むように構成されている。
【００２５】
なお、上記信号復調用ソフトウェアとは、各狭域通信システムの復調、デインタリーブ、誤り訂正復号、同期再生等を行なうためのDSP（Degital Signal Prossesor）やFPGA（Field Programmable Gate Array)のプログラム、さらにはFPGAの回路データ等を記述したものである。
【００２６】
図４は、広域通信システムと狭域通信システムのサービスエリアの関係を概念的に示すものである。図４に示す例では、広域通信システムとして地上デジタル放送を、狭域通信システムとして無線LANおよびDSRC（Dedicated Short Range Communication）を用いた場合について、それらの通信システムのサービスエリアを示している。
また一般に、上記広域通信システムとしては、上記地上デジタル放送の他、例えば衛星デジタル放送等の放送システムがある。この場合のサービスエリアは、通常、半径数十ｋｍから数百ｋｍ程度の広い範囲に及ぶ。
【００２７】
また、携帯電話のサービスエリアが、放送システムと同程度の広い範囲をほぼ連続的にカバーしている場合は、例えばIMT-2000等の携帯電話システムを広域通信システムとして用いることもできる。
【００２８】
一方、上記狭域通信システムは、広域通信システムのサービスエリアに含まれる比較的狭いエリアをカバーする通信システムであり、例えば上述した無線LANやDSRC等がある。この場合のサービスエリアは、通常、半径数十ｍから数百ｍ程度の狭い範囲である。
【００２９】
また、上記受信機１においては、広域通信システムの受信信号は広域システム復調部１０に入力され、ＯＦＤＭ、ＱＡＭ、ＱＰＳＫ、ＶＳＢ等のデジタル変調信号の復調が行われる。
また、上記広域システム復調部１０では、デジタル復調の他に、周波数変換、同期再生、デインタリーブ、誤り訂正符号の復号等、広域通信システムの受信信号からデジタルデータ信号を取り出すまでの信号処理が行われる。
【００３０】
また、広域システムデータ受信部１１は、広域システム復調部１０からデジタルデータ信号を受け取り、例えばＭＰＥＧ２方式で符号化された映像信号や音声信号を復号し、映像・音声・データ等の情報信号を復元し、受信データ（広域システム受信データ）として受信機１から出力する。
【００３１】
また、広域システムデータ受信部１１は、デジタルデータ信号に含まれる、狭域通信システムの信号復調用ソフトウェア、ならびにこの信号復調用ソフトウェアに付随する通信システム識別情報、受信可能エリア位置情報およびその他の付加データを、デジタルデータ信号から抽出し、記憶装置１４に出力する。
この場合において、広域通信システムでは、狭域通信システムの信号復調用ソフトウェアを、例えば一定の時間間隔で反復伝送し、記憶装置１４に記憶される信号復調用ソフトウェアが、常に最新バージョンのソフトウェアに更新されるように構成する。
【００３２】
一方、狭域通信システムの受信信号は狭域システム復調部１２に入力され、周波数変換、同期再生、デジタル復調、デインタリーブ、誤り訂正符号の復号等の信号処理が行なわれる。
【００３３】
狭域システム復調部１２における信号処理は、RF（無線周波数）からIF（中間周波数）への周波数変換等の、A/D変換前の信号処理を除いては、DSPやFPGA等のソフトウェア的に書き替え可能なデバイスによって行われ、DSPやFPGAのソフトウェアを書き替えることにより、書き替え前とは異なる種々の変調方式、インタリーブ方式、誤り訂正方式および同期方式に対応可能とすることができる。このような技術が、一般に、ソフトウェア無線技術と称されるものであり、本実施形態においては、このソフトウェアが記憶装置１４からダウンロードされることになる。
【００３４】
すなわち、本実施形態において用いられる信号復調用ソフトウェアは、狭域システム復調部１２が行なう信号処理のうち、A/D変換後のデジタル的な信号処理を、DSPやFPGA等の書き替え可能なデバイスのソフトウェアとして構築したものであり、一般的には、クロック同期再生、復調、デインタリーブ、誤り訂正復号等の信号処理を含むものである。
また、上記狭域システム復調部１２の数は、１つとしても良いし複数個としても良いが、複数個とした場合には、例えば無線LANとDSRCの復調処理を同時に行なうことが可能となる。
【００３５】
また、上記狭域システムデータ受信部１３は、狭域システム復調部１２からデジタルデータ信号を受け取り、映像・音声・データ等の情報信号を復元し、受信データ（狭域システム受信データ）として受信機１から出力する。
【００３６】
上記狭域システム復調部１２が複数個存在する場合には、複数の狭域通信システムからのデジタルデータ信号が狭域システムデータ受信部１３に入力されるため、狭域システム復調部１２と狭域システムデータ受信部１３は、例えば次のいずれかの方法で信号処理を行なう。
【００３７】
まず第１の方法は、狭域システムデータ受信部１３に、複数の狭域通信システムからの各デジタルデータ信号が入力され、これら複数のデジタルデータ信号が、所定のアルゴリズムに従って併用され、これにより作成されたデータ信号が受信データとして出力される方法である。
【００３８】
また第２の方法は、狭域システム復調部１２において、各狭域通信システムの受信信号の品質が比較され、最も品質の高い受信信号に係る１つの狭域通信システムが選択され、選択された狭域通信システムのデジタルデータ信号が狭域システムデータ受信部１３へ出力される方法である。
ここで、受信信号の品質としては、受信信号レベル、ビット誤り率、あるいはパケット誤り率等がある。
なお、受信信号の品質の比較を行なうタイミングの例としては、例えば、一定の時間間隔ごととする。
【００３９】
また、上記記憶装置１４は、上述したようにハードディスクメモリの他、周知の磁気ディスクメモリ、光ディスクメモリ、半導体メモリ等を使用することが可能であり、広域システムデータ受信部１１から受け取った信号復調用ソフトウェア、通信システム識別情報、受信可能エリア位置情報、その他の付加情報を記憶する。
上記通信システム識別情報は、その信号復調用ソフトウェアがどの狭域通信システムの信号復調用ソフトウェアであるかを表す情報である。
【００４０】
また、上記受信可能エリア位置情報は、通信システム識別情報で表される狭域通信システムが受信可能であるエリアを、例えば緯度・経度等の位置情報を用いて表した情報である。
上記受信可能エリアの表現方法として種々の方法があるが、例えば、受信可能エリアを多角形で表現し、多角形の各頂点の座標を緯度・経度で表す方法等がある。
【００４１】
また、上記その他の付加情報は、上述した以外の種々の情報が含まれ、例えば信号復調用ソフトウェアのバージョン情報や著作権情報等がある。
また、上記現在位置情報記憶部１５には、カーナビ等の位置情報検出装置（ＧＰＳ）等によって得られた現在位置情報が記憶される。
【００４２】
また、狭域通信システム受信優先順位記憶部１８には、各狭域通信システムにおける受信優先順位情報が記憶される。この受信優先順位情報の設定方法としては、受信者が逐次手動で設定する方法や、受信機出荷時に予め設定しておく方法等がある。
【００４３】
また、上記判定部１６は、記憶装置１４から入力された通信システム識別情報および受信可能エリア位置情報、現在位置情報記憶部１５から入力された現在位置情報、ならびに狭域通信システム受信優先順位記憶部１８から入力された狭域通信システムの受信優先順位情報に基づき、どの信号復調用ソフトウェアを狭域システム復調部１２ヘダウンロードすべきかについて判定を行なう。
【００４４】
上記判定部１６における判定のアルゴリズムとしては、例えば以下のような方法がある。
まず第１の方法は、通信システム識別情報を参照しながら、現在位置情報が、受信可能エリア位置情報で示されるエリアの範囲内にあるか否かを、受信優先順位の高い順に各信号復調用ソフトウェアごとに判定し、受信可能エリア内と判定された最初の信号復調用ソフトウェアを、狭域システム復調部１２ヘダウンロードする方法である。
【００４５】
また第２の方法は、通信システム識別情報を参照しながら、現在位置情報が、受信可能エリア位置情報で示されるエリアの範囲内にあるか否かを、受信優先順位の高い順に各信号復調用ソフトウェアごとに判定し、受信可能エリア内と判定された信号復調用ソフトウェアのうち、受信優先順位の高い順に、予め定められた所定数の信号復調用ソフトウェアを、狭域システム復調部１２ヘダウンロードする方法である。
上記判定部１６において判定を行なうタイミングの例としては、例えば、一定の時間間隔ごととする。
【００４６】
また、上記復調ソフトウェアダウンロード制御部１７は、判定部１６からの判定結果情報を入力され、その判定結果情報に応じて、記憶装置１４から狭域システム復調部１２への信号復調用ソフトウェアのダウンロードを制御する。
このダウンロードを行なう前に信号復調用ソフトウェアの認証等が必要な場合は、該制御部１７がその処理を行なう。
【００４７】
＜第２の実施形態＞
次に図２を用いて、本発明の第２の実施形態に係る受信機２の構成およびこの受信機２に対して復調ソフトウェアをダウンロードする方法について説明する。
【００４８】
図２に示す第２の実施形態において、図１に示す第１の実施形態と略同様の機能を有する各部（広域システム復調部２０、広域システムデータ受信部２１、狭域システム復調部２２、狭域システムデータ受信部２３、記憶装置２４、現在位置情報記憶部２５、および復調ソフトウェアダウンロード制御部２７）については、第１の実施形態の各部（広域システム復調部１０、広域システムデータ受信部１１、狭域システム復調部１２、狭域システムデータ受信部１３、記憶装置１４、現在位置情報記憶部１５、および復調ソフトウェアダウンロード制御部１７）に付した符号に１０を加えた符号により示し、その詳細な説明は省略する。また、その他の機能についても、第１の実施形態と略同様のものについては、その説明を省略する。
【００４９】
本発明の第２の実施形態に係る受信機は、図２に示すように、広域システム復調部２０、広域システムデータ受信部２１、狭域システム復調部２２、狭域システムデータ受信部２３、記憶装置２４、現在位置情報記憶部２５、および復調ソフトウェアダウンロード制御部２７と、現在位置情報、通信システム識別情報、受信可能エリア位置情報、受信希望情報種別情報および番組表情報から、どの信号復調用ソフトウェアを狭域システム復調部２２ヘダウンロードするかを判定する判定部２６と、受信者が受信を希望する情報の種別を記憶する受信希望情報種別記憶部２８と、番組表情報を記憶する番組表記憶部２９とを含むように構成される。
【００５０】
第２の実施形態に係る受信機２においては、無線LANやDSRC等の狭域通信システムにおいて、例えば交通情報、天気予報あるいはニュース等の情報を、予め定められた時刻に同報送信する機能を備えている。
この第２の実施形態に係る受信機２においては、受信者は、自分が受信を希望する情報の種別を、スイッチやキーボード等の入力手段を用いて受信機２に設定するように構成されており、その設定内容は受信希望情報種別記憶部２８に記憶される。
【００５１】
さらに、上記情報種別によって識別される各情報が、どの時刻にどの狭域通信システムで送信されているかを示す番組表情報が、番組表記憶部２９に記憶される。番組表情報を受信機２へ送信する手法としては、例えば、いずれかの通信システムを用いる手法、ICカード等の物理的な記憶媒体を用いる手法、さらにはインターネット等の有線回線を用いる手法等がある。
【００５２】
上記判定部２６は、現在位置情報が、記憶装置２４に記憶された受信可能エリア位置情報で示されるエリアの範囲内であるか否かを、各信号復調用ソフトウェアごとに判定し、さらに、現在位置情報が受信可能エリア内である狭域通信システムのうち、受信を希望する情報種別の情報受信までの待ち時間が最も少ないものを選択する判定を行なう。この判定部２６による判定結果に基づき、復調ソフトウェアダウンロード制御部２７は、記憶装置２４に記憶されている所定の信号復調用ソフトウェアを狭域システム復調部２２へダウンロードする制御を行なう。
【００５３】
＜第３の実施形態＞
次に図３を用いて、本発明の第３の実施形態に係る受信機３の構成およびこの受信機３に対して復調ソフトウェアをダウンロードする方法について説明する。
【００５４】
図３に示す第３の実施形態において、図１に示す第１の実施形態と略同様の機能を有する各部（広域システム復調部３０、広域システムデータ受信部３１、狭域システム復調部３２、狭域システムデータ受信部３３、記憶装置３４、現在位置情報記憶部３５、復調ソフトウェアダウンロード制御部３７、および狭域通信システム受信優先順位記憶部３８）については、第１の実施形態の各部（広域システム復調部１０、広域システムデータ受信部１１、狭域システム復調部１２、狭域システムデータ受信部１３、記憶装置１４、現在位置情報記憶部１５、復調ソフトウェアダウンロード制御部１７、および狭域通信システム受信優先順位記憶部１８）に付した符号に２０を加えた符号により示し、その詳細な説明は省略する。また、その他の機能についても、第１の実施形態と略同様のものについては、その説明を省略する。
【００５５】
本発明の第３の実施形態に係る受信機３は、図３に示すように、広域システム復調部３０、広域システムデータ受信部３１、狭域システム復調部３２、狭域システムデータ受信部３３、記憶装置３４、現在位置情報記憶部３５、復調ソフトウェアダウンロード制御部３７、および狭域通信システム受信優先順位記憶部３８と、将来時点における受信機３の位置を予測する予測位置情報演算部３９と、判定部３６へ入力する位置情報を現在位置情報の入力位置と予測位置情報の入力位置との間で切り換えるスイッチ４０と、現在位置情報または予測位置情報、通信システム識別情報、受信可能エリア位置情報および狭域通信システムの受信優先順位情報に基づき、どの信号復調用ソフトウェアを狭域システム復調部ヘダウンロードするかを判定する判定部３６とを含むように構成される。
【００５６】
上記予測位置情報演算部３９は、現在位置情報記憶部３５から入力された複数時点における現在位置情報に基づいて将来時点における受信機の位置を予測し、その結果を出力する。最も簡単な位置予測方法としては、例えば、２つの時点における位置座標から、移動体の移動方向と移動速度を求め、それらの情報と現在位置情報とから、将来時点における受信機３の位置を予測する方法がある。
【００５７】
また、上記スイッチ４０は、現在位置情報記憶部３５からの現在位置情報出力と、予測位置情報演算部３９からの予測位置情報出力とを、判定部３６から出力される制御信号に基づいて切り換える。
【００５８】
また、上記判定部３６は、通信システム識別情報を参照しながら、現在位置情報が、受信可能エリア位置情報で示されるエリアの範囲内であるか否かを、受信優先順位の高い順に各信号復調用ソフトウェアごとに判定し、その結果、現在位置情報が受信可能エリア内である信号復調用ソフトウェアが存在しない場合には、スイッチ４０により現在位置情報出力から予測位置情報出力に切り換え、現在位置情報の替わりに、現在の受信機の進行情報（車載受信機の場合は、自動車の進行情報）から予測される、所定時間後の予測位置情報を、予測位置情報演算部３９から受け取る。
【００５９】
そして、通信システム識別情報を参照しながら、予測位置情報が、受信可能エリア位置情報で示されるエリアの範囲内であるか否かを、受信優先順位の高い順に各信号復調用ソフトウェアごとに判定し、受信可能エリア内と判定された最初の信号復調用ソフトウェアを選択する判定を行なう。この判定部３６による判定結果に基づき、復調ソフトウェアダウンロード制御部３７は、記憶装置３４に記憶されている所定の信号復調用ソフトウェアを狭域システム復調部３２へダウンロードする制御を行なう。
【００６０】
この第３の実施形態について、さらに図４に示す例を用いて説明する。図４では、車載受信機の移動ルートが点線で表されており、所定の時間間隔で判定部３７による判定が行われる。
【００６１】
地点Ａ、Ｂ、Ｃは、各判定が行われる受信点を表す。車載受信機が受信点Ａにあるときには、ダウンロードすべき狭域通信システムとしてDSRCが選択されるが、車載受信機が受信点Ｂにあるときには、現在位置情報が受信可能エリア内となる狭域通信システムがないため、将来位置を受信点Ａから受信点Ｂまでの移動ルートの軌跡から予測し、所定時間後には無線LANの受信可能エリアに入ることを予測することにより、前もって無線LANの信号復調用ソフトウェアをダウンロードしておく。
【００６２】
すなわち、一般には車載受信機が受信点Ｃに来るまで無線LANの信号復調用ソフトウェアがダウンロードされず、車載受信機が無線LANの受信可能エリアに入る時点と、実際に無線LANからの信号を受信可能となる時点との間に遅延が生じることになるが、第３の実施形態によるダウンロード方式を用いることにより、車載受信機が無線LANの受信可能エリアに入った時点から直ちに無線LANからの信号を受信することが可能となり、円滑でシームレスな通信システムとすることができる。
【００６３】
なお、本発明に係る復調ソフトウェアのダウンロード方法および受信機としては、上記実施形態で説明した態様に限られるものではなく、その他の種々の態様の変更が可能である。
例えば、上記実施形態は、移動体に併設された無線通信システムに対応するソフトウェア無線端末に適用した例であるが、本ソフトウェア無線端末が、無線通信機能としてＰＤＡ（Personal Digital Assistant）や小型ノート型パソコンに組み込まれた態様のものに適用するようにしてもよい。さらに、位置情報検出装置は、ＧＰＳ以外の位置情報検出手段を用いてもよい。
【００６４】
また、自動車等の移動体のみならず、固定的に設置される受信機についても適用が可能である。
【００６５】
また、本発明の実施形態は、ソフトウェア無線で用いられる信号復調用ソフトウェアのダウンロードについて記述しているが、本発明に係るダウンロード方法および受信機の構成を適用して、一般的なソフトウェアのダウンロードにも適用可能であることは言うまでもない。
【図面の簡単な説明】
【００６６】
【図１】本発明の第１の実施形態に係る受信機を示すブロック図
【図２】本発明の第２の実施形態に係る受信機を示すブロック図
【図３】本発明の第３の実施形態に係る受信機を示すブロック図
【図４】広域通信システムおよび狭域通信システムの各サービスエリアの一例を示す概念図
【符号の説明】
【００６７】
１０、２０、３０      広域システム復調部
１１、２１、３１      広域システムデータ受信部
１２、２２、３２      狭域システム復調部
１３、２３、３３      狭域システムデータ受信部
１４、２４、３４      記憶装置
１５、２５、３５      現在位置情報記憶部
１６、２６、３６      判定部
１７、２７、３７      復調ソフトウェアダウンロード制御部
１８、２８、３８      狭域通信システム受信優先順位記憶部
２９      番組表記憶部
３９      予測位置情報演算部
４０      スイッチ
【図１】
2005229546.tif 000003
【図２】
2005229546.tif 000004
【図３】
2005229546.tif 000005
【図４】
2005229546.tif 000006